【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
検証可能な起源を有するオリジナル文書に対応した電子画像データ（５００）と，別の起源を有し，オリジナル文書の少なくとも一部（１０）の起源に対応した電子的に表示可能な検証情報（１２，６００）を格納するように構成されたメモリ（１０５）と，
オリジナル文書の真正性を確認するユーザーによる表示のために前記画像データ及び前記検証情報を提供するように構成された出力部（１０６）を備える，文書の真正性を確認するユーザーによって遠隔アクセス可能なコンピュータシステム（１００）。
【請求項２】
前記画像データ（５００）は，真正性が確認された供給源から得られたものであり，
検証情報は，真正性が確認された供給源の起源に対応したデータを含む請求項１に記載のコンピュータシステム。
【請求項３】
データは，リポジトリ（１００）の制御下でメモリ（１０５）に／から供給される請求項１又は２に記載のコンピュータシステム。
【請求項４】
検証情報は，リポジトリによる真正性確認を受けた起源に関係するデータを含み，
検証情報は，リポジトリがこのような真正性確認を提供することをユーザーへ信号で伝えるように構成されている請求項３に記載のコンピュータシステム。
【請求項５】
メモリ（１０５）に格納されたデータは，ユーザーによって変更不能である請求項２又は３に記載のコンピュータシステム。
【請求項６】
遠隔地から前記画像データを受け取る装置（１０２，１０４）を含む請求項３〜５の何れか１つに記載のコンピュータシステム。
【請求項７】
オリジナル文書をスキャナ読み込みして前記画像データを生成するスキャナ（１０３）を含む請求項１〜６の何れか１つに記載のコンピュータシステム。
【請求項８】
オリジナル画像に対応した画像データをリポジトリ（１００）に送るのに動作可能な装置（２０１，２０２，２０３）を含むリポジトリエージェント（２００）を含む請求項３〜７の何れか１つに記載のコンピュータシステム。
【請求項９】
リポジトリエージェント（２００）は，前記画像データが前記エージェント（２００）から送られたことをリポジトリ（１００）に示すために，供給源の真正性確認情報と共に画像データを送るのに動作可能である請求項８に記載のコンピュータシステム。
【請求項１０】
検証情報は，オリジナル文書の個々の部分（１０）の真正性を確認するために，ユーザーによって画像データと同時に閲覧される所定の認定印（１２）を含む請求項１〜９の何れか１つに記載のコンピュータシステム。
【請求項１１】
検証情報は，オリジナル文書の真正性を確認するために前記画像データと関連した別個のフィールドでユーザーによって閲覧される認定データ（６００）を含む請求項１〜１０の何れか１つに記載のコンピュータシステム。
【請求項１２】
前記画像データ及び検証情報は，共通の電子ファイルに格納される請求項１〜１１の何れか１つに記載のコンピュータシステム。
【請求項１３】
前記ファイルは，ＰＤＦファイルである請求項１２に記載のコンピュータシステム。
【請求項１４】
前記メモリ（１０５）を提供し，前記画像データ及び検証情報がユーザーによってオリジナル文書の真正性を確認するために閲覧可能であるウエブサイトをホスティングするのに動作可能であるサーバ（１０１）を含む請求項１〜１３の何れか１つに記載のコンピュータシステム。
【請求項１５】
前記出力部（１６）は，インターネットに接続されている請求項１〜１４の何れか１つに記載のコンピュータシステム。
【請求項１６】
メモリ（１０５）内の前記画像データ及び検証情報は，ユーザーがパスワードの使用によってのみアクセス可能であるようにパスワードで保護されている請求項１〜１５の何れか１つに記載のコンピュータシステム。
【請求項１７】
オリジナル文書に対応した画像データ及び検証情報は，集合的にメモリ（１０５）に格納されたとき，個々にアドレス可能な識別子を有する請求項１〜１６の何れか１つに記載のコンピュータシステム。
【請求項１８】
オリジナル文書の真正性を確認するユーザーによる表示のために前記画像データ及び前記検証情報を提供するために，請求項１〜１７の何れか１つに記載のコンピュータシステムを動作させる方法。
【請求項１９】
検証可能な起源を有するオリジナル文書に対応した電子画像データを生成し，
オリジナル文書の少なくとも一部の起源に対応した電子的に表示可能な検証情報を提供し，
前記画像データ及び前記検証情報を表示し，それによってユーザーが文書の真正性を確認することを可能にすることを備える，真正性確認のために文書を表示する方法。
【請求項２０】
真正性が確認された供給源（２００，１０３）から前記画像データを受け取り，前記画像データを表示のために格納し，受け取った画像に対する検証情報を生成し，
検証情報は，真正性が確認された供給源の起源に対応したデータを含む請求項１９に記載の方法。
【請求項２１】
前記画像データの供給源の真正性を確認することを含む請求項１９又は２０に記載の方法。
【請求項２２】
オリジナル文書の真正性を確認したいユーザーに対する表示のために，リポジトリ（１００）の制御下でメモリ（１０５）に前記画像データ及び検証情報を供給することを含む請求項１８〜２１の何れか１つに記載の方法。
【請求項２３】
リポジトリのみがメモリ（１０５）内のデータを変更可能である請求項２２に記載の方法。
【請求項２４】
検証情報（６００）は，リポジトリ（１００）によって真正性が確認された起源に関係するデータを含む請求項２２又は２３に記載の方法。
【請求項２５】
リポジトリは，前記画像データの供給源と通信して，その起源を判断し，前記検証情報を作成する請求項２４に記載の方法。
【請求項２６】
遠隔地からリポジトリに前記画像データを供給することを含む請求項２２〜２５の何れか１つに記載の方法。
【請求項２７】
リポジトリエージェント（２００）からリポジトリ（１００）へオリジナル画像に対応した前記画像データを送ることを含む請求項２２〜２６の何れか１つに記載の方法。
【請求項２８】
前記画像データがリポジトリエージェント（２００）から送られたことをリポジトリに対して示すために，供給源の真正性確認情報と共に画像データを送ることを含む請求項２７に記載の方法。
【請求項２９】
文書の真正性を確認するユーザーによりオリジナル文書の個別の部分（１０）の真正性を確認するために，前記画像データと同時に閲覧可能な所定の認定印（１２）を含むように検証情報を構成することを含む請求項１８〜２８の何れか１つに記載の方法。
【請求項３０】
オリジナル文書の真正性を確認するために前記画像データと関連した別個のフィールドでユーザーによって閲覧可能な認定データ（６００）を備える検証情報を構成することを含む請求項１８〜２９の何れか１つに記載の方法。
【請求項３１】
前記画像データ及び検証情報を共通の電子ファイルに格納することを含む請求項１８〜３０の何れか１つに記載の方法。
【請求項３２】
前記画像データ及び検証情報を共通の電子ＰＤＦファイルに格納することを含む請求項１８〜３１の何れか１つに記載の方法。
【請求項３３】
オリジナル文書の真正性を確認するユーザーによって前記画像データ及び検証情報が閲覧可能であるウエブサイトをホスティングすることを含む請求項１８〜３２の何れか１つに記載の方法。
【請求項３４】
電子画像データ及びその対応する検証情報を閲覧することによってオリジナル文書の真正性を確認することを含む請求項１８〜３３の何れか１つに記載の方法。
【請求項３５】
前記画像データ及び検証情報は，ユーザーがパスワードの使用によってのみアクセスできるようにパスワードで保護されており，
ユーザーにオリジナル文書の真正性を確認することを許可するために，パスワードをユーザーに供給することを含む請求項１８〜３４の何れか１つに記載の方法。
【請求項３６】
オリジナル文書に対応する前記画像データ及び検証情報は，集合的に，個別にアドレス可能な識別子を有し，
ユーザーにオリジナル文書の真正性を確認するために前記データ及び情報へのアクセスを許可するために，個別にアドレス可能な識別子をユーザーに供給することを含む請求項１８〜３５の何れか１つに記載の方法。
【請求項３７】
ユーザーにハイパーリンクを提供することを含む請求項３５又は３６に記載の方法。